【事件の表示】
　特許第２９１２００５号「パチンコ機用入賞装置」の請求項１に係る特許に対する特許異議の申立てについて、次のとおり決定する。
【結　論】
　訂正を認める。
　特許第２９１２００５号の請求項１に係る特許を維持する。
【理　由】
一、手続の経緯
　本件特許第２９１２００５号に係る発明は、平成２年１１月１２日に特許出願された特願平２−３０５８１７号に係り、平成１１年４月９日に設定登録され、この特許に対し、特許異議申立人菊地一夫（以下、「申立人１」という。）及び特許異議申立人河井清悦（以下、「申立人２」という。）より特許異議の申立てがなされ、当審において取消理由を通知したところ、その指定期間内の平成１２年１１月２２日に訂正請求がなされ、さらに当審において訂正拒絶理由を通知したところ、その指定期間内の平成１３年２月２３日に特許異議意見書が提出されたものである。
　
二、訂正の適否についての判断
１．訂正の内容
　特許権者は、特許明細書を次のように訂正しようとするものである。
［訂正事項ａ］
　特許明細書の特許請求の範囲の請求項１に係る
　「【請求項１】パチンコ球の入賞が容易な大当り状態に変動可能であり、かつ、特別入賞口を有するパチンコ機用入賞装置において、パチンコ球をプールするプール手段と該プール手段でプールされたパチンコ球を放出する解除手段とからなる球保留装置を設け、該球保留装置から放出されたパチンコ球を前記特別入賞口に入賞させるようにしたことを特徴とするパチンコ機用入賞装置。」
の記載を、
　「【請求項１】パチンコ球の入賞が容易な大当り状態に変動可能であり、かつ、
開閉片で受け入れたパチンコ球が入賞可能な
任意に設定されるタイミングで
前記開閉片と別体に
球が流下する板部を介することなく
と訂正する。
　
［訂正事項ｂ］
　特許明細書の発明の詳細な説明の欄の
　「《課題を解決するための手段》上記の目的を達成するため本発明は、パチンコ球の入賞が容易な大当り状態に変動可能であり、かつ、特別入賞口１６Ｖを設けてなる入賞装置５において、パチンコ球をプールするプール手段２５と該プール手段２５でプールされたパチンコ球を放出する解除手段２６とからなる球保留装置２４を設け、該球保留装置２４から放出されたパチンコ球を前記特別入賞口１６Ｖに入賞させるようにした入賞装置５を提供するものである。」
の記載を
　「《課題を解決するための手段》上記の目的を達成するため本発明は、パチンコ球の入賞が容易な大当り状態に変動可能であり、かつ、
開閉片１４，１４で受け入れたパチンコ球が入賞可能な
任意に設定されるタイミングで
前記開閉片１４，１４と別体に
球が流下する板部（底壁２０ｆ）を介することなく
と訂正する。
　
［訂正事項ｃ］
　特許明細書の発明の詳細な説明の欄の
　「《発明の効果》以上のように本発明の入賞装置５によれば、プール手段２５と解除手段２６とからなる球保留装置２４を設け、該球保留装置２４から放出されたパチンコ球を前記特別入賞口１６Ｖに入賞させるように構成したため、特別入賞口１６Ｖに入賞することが明らかなパチンコ球を遊技者の権利球として保有させることができ、特別入賞口１６Ｖに入賞する楽しみを十分に堪能させることができる。そしてさらに、他の種々の遊技条件、例えば始動入賞口６への入賞等と球保留装置２４の作動条件を組み合わせることによって、従来にない遊技パターンを新たに創造することができる等、パチンコ遊技の興趣を増大させ得る効果がある。」
の記載を
　「《発明の効果》以上のように本発明の入賞装置５によれば、プール手段２５と解除手段２６とからなる球保留装置２４を
前記開閉片１４，１４と別体に
球が流下する板部（底壁２０ｆ）を介することなく
と訂正する。
　
２．訂正の目的の適否、新規事項の有無及び拡張・変更の存否
　訂正事項ａの訂正は、特許請求の範囲の減縮を目的とするものに該当する。
　訂正事項ｂ及びｃの訂正は、発明の詳細な説明の記載を訂正後の特許請求の範囲の記載と整合させるためのものであるから、上記訂正事項ｂ及びｃの訂正は、明りょうでない記載の釈明を目的とするものに該当する。
　そして、これらの訂正は、願書に添付した明細書、又は図面に記載された事項の範囲内において訂正するものであって新規事項を追加するものでなく、かつ、実質上特許請求の範囲を拡張、又は変更するものではない。
　
３．独立特許要件の判断
（１）引用刊行物
　訂正明細書の請求項１に係る発明（以下、「訂正発明」という。）の特許に対して、当審が平成１２年１２月１２日付けで通知した訂正拒絶理由において引用した刊行物１［特開昭６４−４９５９０号公報（申立人２提出の甲第２号証）］には、パチンコ機に関し、次のとおりの事項が記載されている。
　「本発明は、中央入賞装置の特別入賞口への打球の入賞確率を制御する確率制御部材を備えたパチンコ機に関するものである。」（１頁右欄７行〜９行）
　「一方、球が特別入賞口１５に入ると、特別入賞検出器３５がこの球を検出して電気的制御装置に信号を送る。なお、特別入賞口１５に入った球は遊技盤１の裏側に排出され、入賞球となる。電気的制御装置が特別入賞検出器３５からの信号を受けると、特別遊技の権利が発生したことを検知して特別遊技選択表示器１４の点滅移動を停止し、特別遊技のモードを選択する。なお、本実施例では球が特別入賞口１５に入って特別入賞検出器３５が当該球を検出した時点で点灯していた表示板に表示されているモード、例えば第１表示板が点灯しているときに球が特別入賞口１５に入ったならばＭＯＤＥ−１の特別遊技が開始される。ＭＯＤＥ−１の特別遊技は、中央入賞装置４の可動球受部材１１，１１が所定時間所定回数（例えば、０．８秒間宛１８回）だけ第１状態から第２状態に変換することを１サイクルとし、このサイクル中に球が特別入賞口１５に入るとその時点で直ちにサイクルの更新が行われ、最高８回までサイクルの更新が可能であり、当該サイクルにおいて可動球受部材１１，１１が第１状態から第２状態に１８回目まで変換しても球が特別入賞口１５に入らなかった場合には残りサイクル数に拘らず当該サイクルで特別遊技が終了する。なお、或るサイクルにおいて中央入賞装置４に所定数（例えば、１０個）の球が入賞した場合には、残りサイクル数に拘らずその時点で特別遊技が終了する。（所謂１０カウント規制）。」（４頁右上欄２０行〜右下欄８行）
　「例えば、第５図に示す遊技盤１に取付けた中央入賞装置４の第２の実施例は、遊技盤１の表面に取付ける取付基板８のほぼ中央に開口部９を開設し、該開口部９の上方の表面に開口部９の幅よりも僅かに横長な鎧部１０を突設し、該鎧部１０の下方の左右には翼片状の可動球受部材１１，１１を回動自在に設け、該可動球受部材１１，１１の下方の開ロ部９の縁には阻止壁１２を突設し、取付基板８の裏側には開口部９に連通する凹室１３を設け、該凹室１３内には奥の左右に切欠部３９，３９を有し、可動球受部材１１，１１の軸着基端の高さから奥に向って僅かに下り傾斜する棚板４０を設けるとともに、凹室１３の正面壁部の左右に副一般入賞口４１ａ，４１ａを開設するとともに、両副一般入賞口４１ａ，４１ａの間に入口４１ｂを開設し、各副一般入賞口４１ａの前方に位置する棚板４０の切欠部３９にはソレノイド等の第２駆動源４２により前後動するシャツタ４３を設け、上記正面壁の奥には入口４１ｂに入った球を凹室１３の底面上に落下させる縦方向の連通口４１ｃを形成し、開口部９の前方の中央に特別入賞口１５を、該特別入賞口１５の左右に主一般入賞口４４，４４を夫々前向に開設し、特別入賞口１５と主一般入賞口４４とを区画する各区画部材４５の上方には風車状の確率制御部材１７，１７を回転自在に臨ませてなる。」（５頁右下欄４行〜６頁左上欄９行）
　「上記した風車状の確率制御部材１７は、前後方向にほぼ平行に配置した軸４６の先端に制御板４７を固定するとともに、該制御板４７の前端縁に円盤４８を固定してなり、一方の軸４６の後端にモータ４９を接続し、該軸４６の途中に設けたギア５０と他方の軸４６に設けたギア５１とを噛合してある。したがって、モータ４９を作動すると、左右の確率制御部材１７，１７が異なる方向に回転し、第１０図に示すように左右の制御板４７，４７が縦方向にほぼ平行に位置すると、制御板４７，４７の上端間隔ＶＬ１が区画部材４５，４５の幅とほぼ同じになるので、この範囲に流下した球を特別入賞口１５に入賞させ、更に矢印方向に回転すると、第１１図に示すように、左右の制御板４７，４７がハ状に位置するので、制御板４７，４７の上端間隔がＶＬ２となって上記間隔ＶＬ１よりも狭くなる。したがって、特別入賞口１５に入る確率が低下する。なお、制御板４７，４７の上端間隔ＶＬ２の外側に球が落下した場合、この球は左右いずれかの主一般入賞口４４に入賞する。そして、確率制御部材１７，１７が更に回転し、第１２図に示すように、左右の制御板４７，４７が逆ハ字状に位置すると、制御板４７，４７の上端間隔ＶＬ３に拡大されるので、特別入賞口１５に入賞する確率を高めることができる。」（６頁右上欄１７行〜右下欄２行）
　「なお、左右の制御板４７，４７の上端間隔が最小となったときに、この間隔が球径よりも大きくなるように設定すると、球が該間隔内をそのまま通過して特別入賞口１５に入賞し、又この最小間隔が球径よりも小さくなるように設定すると、左右の制御板４７の上端に載って一時保留された球だけが特別入賞口１５に入賞するようになる。」（６頁右下欄２行〜８行）
　
（２）当審の判断
　訂正発明と上記刊行物１に記載された発明とを対比すると、上記刊行物１には、訂正発明を特定するための事項である、少なくとも「プール手段でプールされたパチンコ球を
任意に設定されるタイミングで
　そして、訂正発明は、上記特定事項により、訂正明細書に記載された格別の効果を奏するものと認める。
　したがって、訂正発明が上記刊行物１に記載された発明であるということができない。また、上記刊行物１に記載された発明に基づいて当業者が容易に発明をすることができたもの、ということもできない。
　
（３）まとめ
　上記のとおりであるから、訂正明細書の発明は特許出願の際独立して特許を受けることができるものである。
　
４．むすび
　以上のとおりであるから、上記訂正請求は、特許法等の一部を改正する法律（平成６年法律第１１６号）附則第６条第１項の規定によりなお従前の例によるとされる、平成１１年改正前の特許法第１２０条の４第３項の規定において準用する平成６年改正法による改正前の特許法第１２６条第１項ただし書き、第２項及び第３項の訂正に関する規定に適合するので、当該訂正を認める。
　
三、特許異議申立てについて
１．特許異議申立ての理由の概要
　〔申立人１〕は下記の証拠方法を提示して、本件の特許請求の範囲に記載の請求項１に係る発明（以下、「本件発明」という。）についての特許は取り消されるべきであるとして、次のように申し立てている。
〔理由１〕：本件発明は、〔甲第１号証〕又は〔甲第２号証〕に記載された発明であるから、本件特許は特許法第２９条第１項第３号の規定に違反してなされたものである。
〔理由２〕：本件発明は、〔甲第１号証〕及び〔甲第２号証〕に記載された発明に基いて当業者が容易に発明をすることができたものであるから、本件特許は特許法第２９条第２項の規定に違反してなされたものである。
　　　　　　　　　　　　　　　　　記
〔甲第１号証〕：実願昭６２−５６３９２号（実開昭６３−１６３８７４号）の願書に添付した明細書及び図面の内容を撮影したマイクロフィルム
〔甲第２号証〕：特開平１−１３９０８５号公報
　
　［申立人２］は下記の証拠方法を提示して、本件発明についての特許は取り消されるべきであるとして、次のように申し立てている。
［理由３］：本件発明は、［甲第１号証］に記載された発明と同一であるから、本件特許は特許法第２９条の２第１項の規定に違反してなされたものである。
［理由４］：本件発明は、［甲第２号証］ないし［甲第５号証］のいずれかに記載された発明であるから、本件特許は特許法第２９条第１項第３号の規定に違反してなされたものである。
［理由５］：本件発明は、［甲第２号証］ないし［甲第６号証］に記載された発明に基いて当業者が容易に発明をすることができたものであるから、本件特許は特許法第２９条第２項の規定に違反してなされたものである。
　　　　　　　　　　　　　　　　　記
［甲第１号証］：特願平１−３１９８６３号（特許掲載公報第２７６０８６８号参照）の願書に最初に添付した明細書又は図面
［甲第２号証］：特開昭６４−４９５９０号公報（上記「３．独立特許要件の判断」の欄の刊行物１を参照）
［甲第３号証］：特開平１−１３９０８５号公報
［甲第４号証］：特開昭６２−８７７５号公報
［甲第５号証］：実願昭６３−１４４０４７号（実開平２−６５９７４号）の願書に添付した明細書及び図面の内容を撮影したマイクロフィルム
［甲第６号証］：「パチンコ必勝大図鑑」第１巻第９号（通巻第９号）、少年出版社平成元年１２月１５日発行、表紙、第１８頁、第３４〜３５頁、裏表紙
　
２．本件発明
　本件発明は、訂正明細書の特許請求の範囲の請求項１に記載された次の事項により特定されるとおりのものである（前記二、の欄の「１．訂正の内容」の項の［訂正事項ａ］を参照）。
　「【請求項１】パチンコ球の入賞が容易な大当り状態に変動可能であり、かつ、
開閉片で受け入れたパチンコ球が入賞可能な
任意に設定されるタイミングで
前記開閉片と別体に
球が流下する板部を介することなく
　
３．甲号各証に記載の発明
〔甲第１号証〕には、パチンコ機用入賞装置に関し、次の事項が記載されている。
　「まず、第１図は、パチンコ機の遊技盤で、そのほぼ中央に配置されるパチンコ機用入賞装置（以下、単に入賞装置という）の一実施例を示している。」（明細書４頁１０行〜１３行）
　「継続兼１０カウント表示灯４の下部は入賞口５になっており、この入賞口５は、基板２の面に平行に軸支された扉板６によって塞いだり、開放されたりするようになっている。」（明細書４頁１９行〜５頁２行）
　「その扉板６の中央部には、三角形状の特定入賞領域部としての仕切板７、７がパチンコ球の直径よりも幾分大きい程度の幅に対向して立設されており、この仕切板７、７の間には、扉板６が開放位置（第１状態）にあるとき落下したパチンコ球８の貯留が可能となっている。」（明細書５頁５行〜１１行）
　「この仕切板７、７で区切られた、その間は、入賞口５のうちの継続入賞口９となっており、パチンコ球８が落下していく通路には、継続入賞検出スイッチ１０が取り付けられ、通過するパチンコ球８を検出するようになっている。継続入賞口９の両側は、入賞口５のうちの通常入賞口１１、１１となって、それぞれのパチンコ球が落下する通路には９カウントスイッチ１２、１２が取り付けられている。」（明細書５頁１１行〜１９行）
　「第５図は、特定入賞領域部の他の実施例であって、扉板６の両長辺部のうちのその一側辺部が軸支され、図示省略されているソレノイドに連結されることによって入賞口５を塞いだり、開放したりするようになっている。特定入賞領域部としては球受部２５が第１図に示すように入賞口５の中央、すなわち継続入賞口９を形成している。球受部２５は、第６図にも示すようにパチンコ球８を保持できるように入れ物のような形状をなして、底部２６と側壁２７と奥壁２８とからなる。」（明細書７頁４行〜１４行）
　「ソレノイド３５が励磁した時は、プランジャ３６が引き込んで球受部２５を２点鎖線で示すようにパチンコ球８が落下するような位置にさせ、解磁したときはスプリング３８の復帰力によって、球受部２５の先端が扉板６の軸支位置に近くなるようにしてパチンコ球８を受け入れ可能としている。」（明細書８頁３行〜９行）
　「図示省略されている遊技盤に配設された所定の入賞口に入賞して所定時間が経過した後、可変表示器３の可変表示が停止する。または、所定の入賞口に入賞した後、パチンコ機に取り付けられている停止スイッチを押すと可変表示器３は停止する。可変表示器３が停止したその表示内容に応じてソレノイド１９の励磁によって所定時間だけ扉板６が第１状態として入賞口５を開放する。この間に、パチンコ球８が扉板６上に左右に振り分けられるように落下して、たまたま、特定入賞領域部としての仕切板７、７の間に転がっていくと、仕切板７、７によって第３図に示すようにパチンコ球８はそこで停止することになる。」（明細書８頁１２行〜９頁５行）
　「そして、扉板６の開放の所定時間が経過すると、ソレノイド１９の解磁によって扉板６は第２状態として入賞口５を閉じる。この扉板６が閉じる動作の途中で仕切板７、７の間にあるパチンコ球８は、下方へ落下することになり、そのパチンコ球８を継続入賞検出スイッチ１０が入賞検出する。このように仕切板７、７の間に留まっていたパチンコ球８は、遊技者によって、継続入賞口９（仕切板７、７の間）から落下して継続入賞検出スイッチ１０で入賞検出されることが確認できる。」（明細書９頁７行〜１７行）
　「この開放の間に継続入賞検出スイッチ１０が入賞検出すると、扉板６は一旦閉じて再び所定時間だけ開放することになり、この入賞状態は１０回までである。」（明細書９頁２０行〜１０頁３行）
　「第５図および第６図に示す実施例では、第１図〜第３図に基づいて説明した実施例と同じように可変表示器３の表示内容で扉板６が所定時間だけ入賞口５を開放し、この時、扉板６上にパチンコ球８が落下して継続入賞口９としての球受部２５に向けて転がり、その内部に溜まる。そして、所定時間が経過した後、扉板６が入賞口５を閉じると同時に、ソレノイド３５を励磁することによって球受部２５を傾け、球受部２５内のパチンコ球８を落下させ、継続入賞検出スイッチ１０が入賞検出する。」（明細書１０頁１９行〜１１頁９行）
　「（考案の効果）以上述べたことから本考案のパチンコ機用入賞装置は、識別情報表示器の停止した表示内容に応じて扉部材が入賞口を開放するものであって、この開放した時に入賞した入賞球を留めることができ、時間を経た後、入賞処理するので遊技者が入賞を確認できる。このことから遊技の信頼性が与えられると共に新たな遊技性を提供できる。」（明細書１２頁２行〜１０行）
　
〔甲第２号証〕には、パチンコ遊技機に関し、次の事項が記載されている。
　「この遊技領域２の中央には、上端に天入賞口５０を有する変動入賞装置５が配設され」（３頁右上欄２行〜３行）
　「これら可動部材５３、５３が、前記特定入賞口１２、１１への打球の入賞時に、第１図に実線で示す垂直状態から鎖線で示す逆「ハ」の宇状態（第１、２図中においては左側のみ開いた状態で鎖線で示し、右側は省略してあるが、左右同時に開く。）まで１回（例えば、０．４秒間）又は２回（例えば、０．８秒間×２回）回動されて開き、入賞空間５２中に打球を受け入れない第１状態から打球を受け入れ易い第２状態に変換するようになっている。」（３頁右下欄６行〜１５行）
　「左右一対の仕切壁５６ａ、５６ａによって仕切られた上端および下端開口の特別入賞案内流路５６が設けられている。」（４頁左上欄９行〜１２行）
　「前記特別入賞案内流路５６の下端開口部は、前記一般入賞口５７、５７を構成する左右に移動する変動部材５７ａ、５７ａの相互に接近したり離れたりする移動に伴い、それらの下板部により開閉されるようになっている。そして、特別入賞案内流路５６の直下には前面開口の第２特別入賞口Ｂが設けられ」（４頁左上欄１８行〜右上欄４行）
　「特別入賞口Ｂ中に打球が流入したときにはＢモードの特別遊技態様が発生される。」（６頁左下欄２行〜４行）
　「特別入賞案内流路５６中に流入した打球は変動部材５７ａ、５７ａによって流下を阻止され、特別入賞案内流路５６中に貯留された状態となる。」（７頁右上欄６行〜９行）
　「Ｂモードの特別遊技態様のサイクルの終了時には、そのサイクル中に特別入賞案内流路５６中に貯留された打球があるとその打球がその開放された特別入賞案内流路５６の下流開ロ部から下方に流下しその下方にある誘導片５８上に至る。しかし、このときには、打球が変動部材５７ａ、５７ａによって特別入賞案内流路５６中に貯留された位置から流下する」（７頁右上欄１６行〜左下欄３行）
　「一旦、Ｂモードの特別遊技態様が発生されると、変動部材５７ａ、５７ａが相互に近接して特別入賞案内流路５６の流出口を閉じてその中に打球を一時的に貯留させてそのサイクル終了時に変動部材５７ａ、５７ａが相互に離れる方向に移動するので、その中に一時的に貯留された分打球の流下速度が遅くなって第２特別入賞口Ｂ中に入賞し易く」（１３頁左下欄６行〜１３行）
　「［発明の効果］この発明に係るパチンコ遊技機は、・・・その結果、遊技者にとっては、特定入賞口中への入賞によって可動部材が変動入賞装置の入賞空間中に打球を受け入れ易い状態に変換したときに、入賞空間中に飛び込んだ打球が特別入賞案内流路中に至るか否か、また、その特別入賞案内流路中に至った打球がいずれの特別入賞口に入賞するかといった複数の関心事の他、一方の特別入賞口中に入賞すればより多くの賞球獲得のチャンスが得られるという期待感をもつことができてパチンコ遊技に対する興趣がより一層増し、一方、遊技店にとっては、より多くの賞球獲得のチャンスが得られる方の特別入賞口への入賞確率を低く抑えておくか、複数種類の特別遊技態様によって得られる賞球排出のトータル的なバランスをとっておけば、それによる不利益が少ないこととなり、遊技者の利益と遊技店の利益とのバランスがとれて、しかも遊技者により多くの興趣のあるパチンコ遊技機となる。」（１３頁左下欄１７行〜１４頁左下欄５行）
　
［甲第１号証］には、遊技機の変動入賞装置に関し、次の事項が記載されている。
　「【請求項１】遊技領域の表面に取り付ける取付基盤に開口部を開設すると共に、この開口部の裏側に凹室を形成し、この凹室の内部に流入した遊技球を普通の入賞とする一般入賞口と継続権利を付与可能な継続入賞口とを凹室の底部の所定箇所に備え、前記凹室内への遊技球の受入状態が遊技者にとって不利な第１状態と遊技者にとって有利な第２状態とに変換可能な可動部材を備えた遊技機の変動入賞装置において、前記可動部材を介して受け入れた遊技球を前記凹室内へと案内する球案内部材と、この球案内部材から案内された遊技球のうちから所定の遊技球を保持可能であると共に、所定の遊技条件の成立に基づき、保持した遊技球を解除して流下させることが可能な球貯留装置とを備え、この球貯留装置は、前記継続入賞口の上流側に位置し、遊技球を保持する第１位置からこの保持した遊技球を解除して流下させる第２位置へ移送する移送手段を含むことを特徴とする遊技機の変動入賞装置。」（１欄２行〜２欄４行）
　「この発明は、特別遊技を発生可能な特別入賞口を内部に備えたパチンコ機等の遊技機の変動入賞装置に関する。」（２欄１０行〜１２行）
　「可動部材を通して凹室に流入した遊技球は、ある時はそのまま一般入賞口や継続入賞口へとはいるものもあるが、所定の遊技条件の成立に基づき、球貯留装置により保持されるものもある。球貯留装置は遊技球を保持した第１位置から第２位置へ遊技球を移送して継続入賞口の上流側へ解除する。したがって、凹室内に流入してきた遊技球に変化に富んだスリルのある動きを与えることができると共に、保持された遊技球を高い確率で継続入賞口へ入賞させることができる。また、遊技球の保持、解除の変化タイミングを、例えば特別遊技の後半に行うことなどにより、特別遊技の前半での継続入賞口への入賞を避けると共に、後半では確実に継続入賞口へ入賞させることができ、多数の賞球が獲得できる特別遊技になり、パチンコ遊技の魅力を一層深め興趣を高めることができる。」（４欄１５行〜２９行）
　「第２図〜第６図によく示されるように、変動入賞装置４は基本的には、遊技盤１の盤面に取付けられる本体ベース（取付基盤）２０と、この本体ベース２０に裏面から結合される本体ケース２１とから構成される。本体ベース２０の中央は開口し、かつこの奥部に本体ケース２１に取り囲まれる凹室２２が形成される。本体ベース２０の上部には前記天入賞口７からの入賞球を導く導入口２３及び流下樋２４が設けられ、その左右に位置して傾斜した鎧部２５ａ，２５ｂが形成され、これらの前面は上部飾り板２６で覆われる。両方の鎧部２５ａ，２５ｂに連続して、本体ベース２０の側面には前記凹室２２への開口部２７ａ，２７ｂが形成され、この開口部２７ａ，２７ｂを選択的に開閉する可動部材としての可動球受部材２８ａ，２８ｂが設けられる。この可動球受部材２８ａ，２８ｂは後述する条件のときに、第２図、第３図に示す実線位置からそれぞれ左右に開いて遊技球を凹室２２の内部へと受け入れる位置と、図示のように完全に閉じた位置との間で開閉作動する。開口部２７ａ，２７ｂの下部は囲い板２９ａ，２９ｂにより閉じられ、またその下部前面は下部飾り板３０で覆われる（第３図参照）。したがって、凹室２２へは左右の開ロ部２７ａ，２７ｂを経由してのみ遊技球が入るが、この開口部２７ａ，２７ｂを開閉する可動球受部材２８ａ，２８ｂは、第３図、第５図にも示すように、それぞれ本体ベース２０の左右に設けた軸受３１を貫通する回動軸３２の先端に取付けられ、回動軸３２の基端側は本体ケース２１の軸孔３３を経て、左右一対の駆動ソレノイドＳＯＬ・Ａのフック３５にクランクレバー３６を介して連結する。」（５欄９行〜３７行）
　「そして、凹室２２の底部中央には第７図、第８図にも示すように、特別入賞口（継続入賞口）５０と、その左右に位置して一般入賞口５１ａ，５１ｂが設けられる。特別入賞口５０に入賞すると後述するような特別遊技状態が発生し、また、一般入賞口５１ａ，５１ｂへの入賞により所定数の賞球の排出が行なわれる。凹室２２の中央奥部には、左右の袖樋４７ａ，４７ｂから落下してきた遊技球を受け止め、これを選択的に保持または解放する球貯留装置としての貯留機構５５が設けられ、また、その下方に位置して凹室２２の底部には落下遊技球を上下に踊らせる変動床機構５７が形成される。貯留機構５５は遊技球を受け止め、保持した第１位置から、この保持した遊技球を解除して落下させる第２位置へと移送する移送手段としての変動保持部材５５ａを含み、これは凹室２２を前後方向に移動すると共に、左右の腕５６を水平面で開閉する人形５４を備え、平行に延ばした閉じ状態の腕５６の間に落下してきた遊技球を保持することができ、前方に移動したときにこの腕５６を開くことにより、かなり高い確率で保持球を特別入賞口５０に向けて落下させられる（第７図、第８図参照）。上記において人形５４の腕５６は遊技球を保持し、また解除する開閉片として機能する。」（６欄８行〜２９行）
　「いま、左右の特定入賞口５ａまたは５ｂに遊技球が入賞したとすると、第３３図（Ａ）にも示すように、スイッチＳＷ１がこれを検出すると同時に駆動ソレノイドＳＯＬ・Ｃが、前記の第２２図のステップ００７のルーチンの通り、０．２秒づつ、０．５秒の間隔でオンオフされ、さらに駆動ソレノイドＳＯＬ・Ａが、同じく第２７図のステップ０１９のルーチンのように、０．８秒後に０．３５秒の間、一回だけオンする。この結果、変動入賞装置４の凹室２２の可動床板５２が傾斜角度の上下変化を繰り返すと共に、可動球受部材２８ａ，２８ｂが一回だけ開く。また、中央の特定入賞口６に入賞したときは、駆動ソレノイドＳＯＬ・Ａのオン回数が０．８秒間隔で２回となり、可動球受部材２８ａ，２８ｂは２回開くことになる。このようにして変動入賞装置４の可動球受部材２８ａ，２８ｂが開くと、初めて凹室２２に向けて遊技部３に打ち出された遊技球が入賞するチャンスが発生する。この間にもし遊技球が凹室２２に入ると、遊技球は案内棚４５により左右に振り分けられた後、上下動している可動床板５２に落下して、前方の特別入賞口５０または一般入賞口５１ａ，５１ｂに向かう。一般入賞口５１ａ，５１ｂへの入賞により、所定数の賞球排出が行なわれるが、特別遊技（当たり処理）は特別入賞口５０への入賞によってのみ発生する。したがって、この間に特別入賞ロ５０へ入賞しないときは、所定の時間経過後に可動床板５２が上下動を停止する。これは前記した第２８図のステップ０２１のスイッチＳＷ３の許可処理のルーチンで制御され、スイッチＳＷ１，２の動作終了後、２．８秒間はスイッチＳＷ３への入賞が許可されており、入賞がなければ普段処理へと移行する。なお、この可動球受部材２８ａ，２８ｂの開放作動中は人形５４及び人形腕５６は初期位置にあって一切作動することはない。これに対して、この間に特別入賞口５０へ入賞があって、スイッチＳＷ３がこれを検出すると、第２１図のルーチンで示すように、ウェイト処理へと移行し、一定のウエイト時間（３秒）の後に、今度は可動球受部材２８ａ，２８ｂ開閉を連続的に繰り返す特別遊技に移行するが、その前に、当たり音を発生させると共に、第３４図に示すように、可動床板５２の上下動を、また人形５４が前後移動を行うように、駆動ソレノイドＳＯＬ・ＣとモータＭが制御される。モータＭの反時計方向への回転に伴いスライダー６１が前方に移動してくるが、半回転で最前位置に達した後、残りの半回転で後退位置へと戻る。なお、初期位置への復帰はスイッチＭＳＷが検出により行なわれる（第２５図（Ｃ）のステップ０１２参照）。次いで可動球受部材２８ａ，２８ｂの連続的な開閉動作が開始され、特別遊技が発生するが、これは第３０図の当たり処理ルーチン（ステップ０２３）にも示すように、ソレノイドＳＯＬ・Ａを０．８秒の間隔でオンオフを繰り返させることにより行う。なお、この開閉動作は２８秒間に１８回だけ繰り返されるが、この間にカウントスイッチＳＷ４で検出された入賞する遊技球の個数が１０個に達したときは、２８秒以内であっても開閉動作は停止する。同時にモータＭの作動も開始され、人形５４は最も前にでた位置と中間位置との間を往復する。これは前記第２５図（Ｄ）〜（Ｉ）のルーチンにも示すように、モータＭを反時計方向に回転させて人形５４を最前位置まで移動し、０．１秒停止させ、さらに中間位置まで戻し（モータＭは同一方向に回転）、再び０．１秒停止させ、こんどは時計回り方向に最前位置まで回転させ、その位置で０．１秒停止させ、さらに中間位置まで回転させた後、上記した動作を繰り返すことにより行なわれる。この人形５４の往復動作時に、人形５４は同時にカムリンク８８のカム面９０がガイドローラ９１を乗り越える毎に上下方向にも運動を繰り返す。このような人形５４の動作により、案内棚４５から左右の袖棚４７ａ，４７ｂを経て凹室２２に落下してくる遊技球の行方に大きな変化を生じさせる。つまり、最も後退した位置にあるときは、人形５４の前方に延びる腕５６に、落下する遊技球はほとんど当たらないが、少なくても中間位置まで前方に出てくると、落下球が腕５６に当たる確率が高くなり、さらには最も前に出たときはほとんど確実に人形５４の体のどこかに当たり、しかも、人形５４は前後に往復を繰り返しながら、上下運動も起こすので、人形５４に当たった遊技球の行方には、計り知れない複雑かつ多岐な方向性が生じる。これにより遊技球の方向性が変化し、凹室２２の下部の特別入賞口５０あるいは一般入賞口５１ａ，５１ｂへの入賞の行方が非常にバラエティに富んだものとなる。このような人形５４の動きは、入賞球のカウント個数が４個になるまで行なわれ、４個目がカウントされると、人形５４は中間位置で停止し、同時に人形５４の腕５６を駆動するソレノイドＳＯＬ・Ｂに通電され、腕５６はそれまでの開いた状態から閉じた状態に変化する。また、同時に可動床板５２が再び０．５秒間隔で０．２秒づつ上下動を開始する。人形５４が中間位置で止まると共に左右の腕５６が閉じられるため、この場合には、左右の袖棚４７ａ，４７ｂから落下してくる遊技球を腕５６の中に１個だけ貯留可能な状態になる。人形５４は凹室２２の中央に位置し、しかも後述するように、これは入賞個数が８個になるか、または可動球受部材２８ａ，２８ｂの開閉動作が１５回目に到達すると、中間位置から前方へ移動すると共に、左右の腕５６を開いて保持球を落下させ、これにより次の特別球技を獲得するのに必要な特別入賞口５０への入賞確率を高めるため、遊技者にとっては、この人形５４の腕５６の中に遊技球を貯留させることは、次の特別遊技の発生への大きな期待感と安心感とを与えるのである。この状態は入賞個数が４個から始まり、８個に到達するか、または可動球受部材２８ａ，２８ｂの開閉回数が１５回目に到達するまで継続される。なお、この間は可動床板５２が連続的に上下するために、遊技球の行方にバラエティに富んだ方向性をあたえられる。そして、一回の特別遊技が終了に近くなる上記した所定の時期に達すると、モータＭが駆動されて人形５４が中間位置から最前位置にでて、０．１秒の停止後に、再び中間位置まで戻って停止する（第２５図（Ｏ）のルーチン参照）。また、この間に人形５４の腕５６はソレノイドＳＯＬ・Ｂが０．５秒間隔でオンオフされることで、開閉を繰り返す。したがって、もし左右の腕５６の中に保持球があるときは、人形５４が特別入賞口５０に最も近付く、最前位置に達した時点で腕５６が開かれるため、落下した遊技球はかなりの確率でもって特別入賞口５０に入賞する。そして、後述するように特別入賞口５０に入賞することで再び特別遊技態様が発生し、これにより遊技者は多数の賞球を獲得することができるのである。この期間中左右の腕５６は継続的に開閉され、したがって仮に保持球が特別入賞口５０への入賞を逃しても、さらに案内棚４５から落下してくる遊技球が腕５６の動きにより、種々の方向に導かれ、特別入賞口５０への入賞の期待も高められる。特別遊技は入賞球の個数が１０個になるか、または、開始より２８秒間のいずれかの期間継続するため、遊技者にとっては、権利更新のための条件となる特別入賞口５０への入賞は、この間にできるだけ多くの賞球を獲得するのに、なるべく特別遊技期間の後半に行なわれることが望ましい。したがって、人形５４が保持球をもって最前位置へと移動した後、腕５６を開いて保持球を落下させたり、人形５４が前後方向の中間位置で、左右の腕５６を連続的に開閉動作するという、今までに無い動作を、特別遊技の後半において行うため、特別入賞口５０への入賞に向けて遊技球の行方に大きな期待感をもたせる上で、非常に効果的である。」（１６欄１１行〜１８欄４９行）
　「上記したように、本発明では特別遊技の発生時に、変動保持部材５５ａとしての人形５４が、凹室２２に流入してきた遊技球を１個だけ保持することができ、この保持球を特別遊技の後半に解放することにより、次の特別遊技更新のための、特別入賞口５０への入賞の期待感を高められ、同時に各特別遊技期間中に多数の賞球獲得の可能性を高められる。また、人形５４が凹室２２の内部を前後方向に移動し、案内棚４５から落下してくる遊技球の行方に変化をもたせるので、特別入賞口５０への入賞の期待感を高め、またスリルを与えることができる。人形５４は前後移動と共に上下動を繰り返すため、同じく落下してくる遊技球との衝突により、遊技球の流れを非常にバラエティとスリルに富んだものとすることができる。人形５４は案内棚４５から落下してくる遊技球と衝突する前方または中間位置に止めたり、全く遊技球と干渉することのない最後退位置に保持することもでき、前後への移動中でなくても、その停止位置により遊技球の行方に変化をもたせることもできる。さらにまた、人形５４の腕５６は、遊技球の保持または解放のためだけではなく、これをたとえば特別遊技の後半において、連続的に開閉動作させることにより、腕５６に当たる遊技球の行方に図り知れない変化をもたせることもできる。そして、変動保持部材５５ａのこれらの各動作は、特別遊技の前半、中間、後半等に応じて選択し、また組み合わせることにより、特別遊技期間中に要求が変化する特別入賞口５０への入賞期待感に対応した、遊技球の運動を制御できる。」（２０欄２行〜３１行）
　「（発明の効果）以上説明したように本発明によれば、遊技領域内に所定の凹室を形成し、この凹室に入った遊技球を普通の入賞とする一般入賞口と、遊技者に有利な状態を発生させる特別入賞口を凹室内に設けると共に、凹室に入った遊技球を選択的に保持・解放する貯留機構を備えたため、凹室に流入してきた遊技球に変化に富んだスリルのある動きを与えることができ、パチンコ遊技の娯楽性や趣向性を高め、また非常に魅力のあるものにすることができる。」（２１欄１１行〜２０行）
　
［甲第２号証］には、上記「３．独立特許要件の判断」の欄の刊行物１記載の事項として摘記した事項が記載されている。
　
［甲第３号証］には、パチンコ遊技機に関し、次の事項が記載されている。
　「この発明は、特別遊技態様を発生させる特別入賞口を複数設け、いずれの特別入賞口に入賞するかにより発生される特別遊技態様の種類が決定されるようにしたパチンコ遊技機に関する。」（１頁右欄９行〜１２行）
　「また、入賞空間５２中の底部の前記案内底板５１ｃより手前側には、その手前側端が前記鎧部５１ｂおよび流下案内棚５４の手前側端面と略同一垂直面内に位置するように突出させた状態で、左右一対の仕切壁５６ａ，５６ａによって仕切られた上端および下端開口の特別入賞案内流路５６が設けられている。この特別入賞案内流路５６の左右両側には、左右方向へ移動するＬ字状の変動部材５７ａ，５７ａによって上端の開口面積が変化する一般入賞口５７，５７が設けられている。これら一般入賞口５７，５７の手前側方向への突出状態も前記特別入賞案内流路５６と同程である。前記特別入賞案内流路５６の下端開口部は、前記一般入賞口５７，５７を構成する左右に移動する変動部材５７ａ，５７ａの相互に接近したり離れたりする移動に伴い、それらの下板部により開閉されるようになっている。そして、その特別入賞案内流路５６の直下には前面開口の第２特別入賞口Ｂが設けられ、その下縁にはその特別入賞口Ｂ中に特別入賞案内流路５６を介して流下する打球を比較的低い確率で特別入賞口Ｂ中に導く誘導片５８が手前側方向に向けて突設されている。そのさらに下方に位置する入賞空間５２中の底部には前面開口の第１特別入賞口Ａが設けられている。この特別入賞口Ａ中には、前記特別入賞案内流路５６を介して流下した打球のうちで特別入賞口Ｂ中に入賞できなかった打球が流入するようになっている。」（４頁左上欄６行〜右上欄１４行）
　「特定入賞口１１，１２に打球が入賞するごとに上記動作が繰り返され、偶発的に打球が特別入賞案内流路５６中に流入すると、それがそのまま特別入賞案内流路５６の下方開ロ部（出口）から流下し、誘導片５８上に落下する。その落下状態如何によって誘導片５８に誘導されてそのまま特別入賞口Ｂ中に流入するか、又は誘導片５８に弾かれてＵ字状の案内枠５１ｄ上に落下し該案内枠５１ｄに案内されて特別入賞口Ａ中に流入する。この場合、特別入賞口Ｂ中への流入の確率は特別入賞口Ａ中への流入の確率に比べて低くなっている。しかして、特別入賞口Ａ中に打球が流入したときにはＡモードの特別遊技態様が、一方、特別入賞口Ｂ中に打球が流入したときにはＢモードの特別遊技態様が発生される。ここに、ＡモードとＢモードの特別遊技態様について説明しておく。Ａモードによる特別遊技態様とは、通常の遊技時に比べ多くの賞品球獲得のチャンスを遊技者に与える特別な利益状態をいい、この実施例では、可動部材５３，５３の１８回の開閉動作を１サイクル（ただし、１８回の開閉動作の終了前に入賞口５７中に１０個の打球が入賞したときには、その時点までを１サイクル）とし、各サイクル中において、特別入賞口Ａ中に打球が入賞することを同じモードの継続条件として、例えば最高１０サイクルまでその動作が行なわれるものとし、各サイクル中に打球の特別入賞口Ａへの入賞が行なわれると、たとえサイクル途中であっても直ちにその時点でそのサイクルを終了させて次のサイクルを開始させるとするものである。一方、Ｂモードの特別遊技態様とは、通常の遊技時に比べて多くの賞品球獲得のチャンスを遊技者に与える特別な利益状態で前記Ａモードの特別遊技態様とは異なる利益状態をいい、この実施例では、可動部材５３，５３の１８回の開閉動作を１サイクル（ただし、１８回の開閉動作の終了前に入賞口５７中に１０個の打球が入賞したときには、その時点までを１サイクル）とし、各サイクル中において、特別入賞口Ｂ中に打球が入賞することを同じモードの継続条件として、例えば最高１０サイクルまでその動作が行なわれるという点ではＡモードと同様であるが、各サイクル途中で打球の特別入賞口Ｂ中への入賞が行なわれると、それが記憶されていて、そのサイクルが完了した後、次のサイクルが開始されるという点で異なるものである。これは、上記Ａモードの特別遊技態様の場合に比べ、遊技者に賞球獲得のチャンスが増える。」（６頁右上欄１０行〜右下欄１８行）
　「特に、上記Ｂモードの特別遊技態様のサイクルが実行されているときには、そのサイクル中、変動入賞装置５内の一般入賞口５７，５７を構成する変動部材５７ａ，５７ａを移動させるソレノイド６０，６０が消磁されることにより、第１図に鎖線で示すように、相互に近接した状態に移動復帰されて、特別入賞案内流路５６の下端開口部を閉じるとともに、一般入賞口５７，５７の開口幅Ｌ１（第５図）が狭くなった状態になっている。このような状態になっているため、Ｂモードの特別遊技態様のサイクルが実行されているときには、一般入賞口５７，５７が狭くなる分、特別入賞案内流路５６中への打球の流入確率が高くなる。そして、特別入賞案内流路５６中に流入した打球は変動部材５７ａ，５７ａによって流下を阻止され、特別入賞案内流路５６中に貯留された状態となる。そして、Ｂモードの特別遊技態様のサイクルの終了時にソレノイド６０，６０が励磁されて変動部材５７ａ，５７ａが第１図に実線で示す如く相互に離れる方向に移動することによって、特別入賞案内流路５６の下端開口部が開放される。このように特別入賞案内流路５６の下端開口部が開放されることにより、Ｂモードの特別遊技態様のサイクルの終了時には、そのサイクル中に特別入賞案内流路５６中に貯留された打球があるとその打球がその開放された特別入賞案内流路５６の下端開口部から下方に流下しその下方にある誘導片５８上に至る。しかし、このときには、打球が変動部材５７ａ，５７ａによって特別入賞案内流路５６中に貯留された位置から流下するので、通常の遊技態様時やＡモードの特別遊技態様のサイクル実行時で変動部材５７ａ，５７ａが相互に離れる方向に移動して特別入賞案内流路５６の下端開口部が開放された状態にあって特別入賞案内流路５６中に流入した打球がそのままその下端開ロ部を介して流下したときに比べて打球の流下速度は遅くなっている。従って、その流下速度が遅い分だけその流下した打球が誘導片５８に弾かれて特別入賞口Ｂ中に流入できなくなる確率が低くなる。つまり、特別入賞口Ｂ中に流入する確率が高くなる。」（７頁左上欄１３行〜左下欄１４行）
　「入賞空間に飛び込んだ打球が特別入賞案内流路中に至るか否か、また、その特別入賞案内流路中に至った打球がいずれの特別入賞口に入賞するかといった複数の関心事の他、一方の特別入賞口中に入賞すればより多くの賞球獲得のチヤンスが得られるという期待感をもつことができてパチンコ遊技に対する興趣がより一層増し、」（１４頁右上欄１１行〜１８行）
　
［甲第４号証］には、パチンコ機に関し、次の事項が記載されている。
　「（１）打球発射部から遊技盤表面の遊技領域内に発射した遊技球が該遊技領域内に設定してある入賞領域内に入った場合に所定の入賞利益を遊技者に与えるパチンコ機において、上記遊技領域内には特定入賞流路と、特別入賞作用流路と、上記特定入賞流路に入った遊技球によって新たな遊技状態を生じさせるように構成した補助遊技手段と、入賞の機会を増大する特別入賞流路に一時的に開成する特別入賞口手段とを設け、上記補助遊技手段には特定入賞流路から流入した遊技球の流下方向を所定の率に近い値で補助的に誘導する誘導手段と、該誘導手段からの遊技球を分別して特定遊技結果を生じさせる分別手段とを設け、制御手段の制御の下で、上記補助遊技手段における特定遊技結果により第１制御状態から第２制御状態に移行し、この第２制御状態において前記特別入賞作用流路に入った遊技球にもとづく検出出力により前記特別入賞口手段を開成駆動して、予め定められた条件で遊技する第３制御状態に移行し、上記条件の下で遊技して再び第２制御状態に復帰し、この第２制御状態で上記補助遊技手段が再度特定の遊技結果を成立した場合に上記第２制御状態を上記第１制御状態に復帰させるようにしたことを特徴とするパチンコ機。」（１頁左欄５行〜右欄８行）
　「分別手段２８は、仕切板２９，２９で仕切った３つの球入賞口を取付基板１３の表面に突出させた状態で並設したものであり、中央の球入賞口を特別入賞口３０、左右の球入賞口を一般入賞口３１，３１としてある。なお、分別手段２８の左右上方には、遊技領域１１から直接遊技球が流入するのを阻止するため、取付基板１３の表面に突出する阻止板３２，３２を設けてある。」（３右上欄２行〜９行）
　「一方、左裏基板４４は、特別入賞口手段３３の左側の特別入賞口手段３３に連通する流路５１に計数用検出器４８を臨設し、裏側には誘導部２３を回転駆動するギアードモータ等の駆動源５２と、左側の特別入賞口手段３３を駆動するソレノイド３９を取付けてある。」（３頁右下欄１９行〜４頁左上欄４行）
　「そして、運良く特定入賞流路５５内に遊技球が流下すると、この遊技球は阻止板３２の傾斜上端上を通って補助遊技手段１２の誘導手段１８上に落下する。なお、遊技球が誘導手段１８上に落下しても、誘導手段１８先端に起立部２１が起立しているので、遊技球がガラスを破損することはない。誘導手段１８上に落下した遊技球は、誘導手段１８の上面が僅かに下り傾斜しているので、この傾斜により凹室１６内の奥に向ってゆっくりと転動し、誘導手段１８の傾斜下端から球流下板２６上に落下する。球流下板２６上に落下した遊技球は、球流下板２６の傾斜により前方に向って転動し、分別手段２８の特別入賞口３０か或は一般入賞口３１に入る。しかしながら、上記の様に誘導手段１８から直接球流下板２６上に落下した遊技球は、球流下板２６上に落下したとき既に凹室１６の左右側壁近くに落下しているので、その殆どがそのまま球流下板２６上の側部を転動し、分別手段２８の左右に開口する一般入賞口３１，３１に入賞する。遊技球が一般入賞口３１に入ると、該遊技球は遊技盤２の裏側に流出して入賞球となり、この入賞球により賞球排出装置（図示せず）が作動し、パチンコ機１前面の球供給皿６３に所定数の賞球が排出される。」（４頁左下欄５行〜右下欄８行）
　「一方、回転している誘導部２３の球出入口２５が第５図で示すように誘導手段１８の貫通部２２に臨んで開口しているとき、運良く遊技球が誘導手段１８上に落下し、この遊技球が球出入口２５から誘導部２３内に入ると、この遊技球は、誘導部２３内に静かに保留され、第６図で示すように、球出入口２５が下方に向いたときに球出入口２５から球流下板２６上に落下する。そして、この遊技球は、球流下板２６のほぼ中央に落下し且つ静かに落下するので、球流下板２６のほぼ中央を流下し、高い確率で特別入賞口３０に入る。したがって、特定入賞流路５５から流入した遊技球を特別入賞口３０に誘導する確率は、誘導部２３の球出入口２５の大きさを適宜に設定したり、誘導部２３の回転速度を適宜に調整して球出入口２５から遊技球が入る入り易さを調整するなどにより、パチンコ店の係員が予測できる範囲内に設定することができる。この様に誘導手段１８は、特定入賞流路５５から流入した遊技球の流下方向を所定の率に近い値で補助的に誘導する機能を有するが、誘導部２３内に入った遊技球が必ず特別入賞口３０に入るとは限らないし、誘導部２３に入らないで流下した遊技球が特別入賞口３０に入る可能性があるので、常に遊技者に利益獲得の期待感を抱かせることができるし、実施例では遊技球が誘導手段１８上をゆっくり転動するようにしたので、遊技者に一層大きな期待感を持たせることができる。特別入賞口３０に遊技球が入ると、該遊技球は流路４５内を流下し特別検出器４６を作動した後遊技盤２の裏側に入賞球として流出する。したがって、この入賞球により賞球排出装置が球供給皿６３に賞球を排出する。また、特別検出器４６が遊技球を検出すると、該特別検出器４６からの信号により電気的制御装置６０が特別遊技状態に変換する。実施例における特別遊技状態は、特別検出器４６が遊技球を検出することを条件として第１制御状態から第２制御状態に変換し、特別変換入賞口５７の特別変換入賞検出器５９が有効に遊技球を検出し得る第２制御状態から、特別変換入賞検出器５９が遊技球を検出したことを条件として特別入賞口手段３３が開いて遊技球を入賞し得る第３制御状態に変換し、第３制御状態に変換してから１０秒間が経過するか、或は１０個の遊技球が入賞するかいずれか一方の充足で停止条件が成立し、この停止条件が８回成立するまで、即ち特別入賞口手段３３が開いてから１０秒間経過するか、或はその間に１０個の遊技球が入るまでを１サイクルとすると、８サイクルまで繰り返して遊技できるようにしてある。」（４頁右下欄９行〜５頁右上欄１９行）。
　
［甲第５号証］には、パチンコ機の変動入賞装置に関し、次の事項が記載されている。
　「遊技者に不利な第１状態と遊技者に有利な第２状態とに変換可能な球受部材を備え、球受部材が受け入れた球が入賞とすると通常の特典を遊技者に付与する一般入賞口と球受部材が受け入れた球が入賞すると一層有利な特典を遊技者に付与する特別入賞口を形成したパチンコ機の変動入賞装置において、上記球受部材に、該球受部材が第２状態に変換して受け止めた球を貯留可能な球貯留部を一体的に形成し、球受部材が第１状態に変換したときに球貯留部内の球を流出するようにしたことを特徴とするパチンコ機の変動入賞装置。」（１頁５行〜１６行）
　「変動入賞装置４は、遊技盤１の表面に取付ける取付基板９に開口部１０を開設し、該取付基板９の表側の上端部分に天入賞口１１を形成するとともに開ロ部１０の上縁に横長な庇状の鎧部１２を突設し、開口部１０の左右側緑には一対の球受部材１３，１３を夫々支軸１４により回動可能に支承し、取付基板９の下部には特別入賞口１５と一般入賞口１６，１６を形成した球受枠１７を突設してある。」（４頁１６行〜５頁３行）
　「第４図から第８図に示す球受部材１３は、板状の球受入部２４と、該球受入部２４により受け止めた球を一時的に貯留する球貯留部２５とからなり、長さの途中に穿設した嵌合孔内に支軸１４を固定してある。球受入部２４は、一端から嵌合孔の近傍を通過するまでの球導入面２６をほぼ平らに形成し、該球導入面２６の端から段差２７を付けて球案内面２８を形成してなる。一方、球貯留部２５は、球受入部２４の後側縁に板部２９を設けて該板部２９に開設した入口３０を上記球受入部２４の球導入面２６に連通させ、板部２９の裏側には側面に出口３１を開設した底面３２が円弧状のポケット部分３３を形成してなる。そして、球受部材１３を支承する支軸１４の後端にはクランク部材３４を固定し、該クランク部材３４のピン３５を、ソレノイド２３のプランジャに取付けた作動部材３６の横長孔３７内に遊嵌する。ソレノイド２３が消磁した状態においては、付勢部材の付勢により、例えばソレノイド２３の復帰スプリング３８の付勢により球受部材１３は、第２図及び第４図に示すように、ほぼ垂直方向に位置する第１状態で停止する。球受部材１３が第１状態で停止すると、第２図に示すように、球受部材１３，１３の上端が鎧部１２の端部の内側に位置するので、遊技部３内を流下してきた球を受け入れない、即ち遊技者にとって不利な状態となる。」（５頁１３行〜６頁１７行）
　「一方、ソレノイド２３が励磁すると、作動部材３６が各ピン３５を上昇してクランク部材３４を回動するので、この回動により左右の球受部材１３，１３が上端をそれぞれ外側に倒す方向に回動し、第３図に示すように、各球受部材１３の球案内面２８の先端が棚板２０の下面に当接して、逆ハ字状に大きく開いた第２状態に変換する。球受部材１３，１３が第２状態に変換すると、鎧部１２の端部と各球受部材１３の上端との間に生じた入賞領域に流下してきた球を受け入れて入賞させ易い状態、即ち遊技者にとって有利な状態となる。また、球受部材１３，１３が第２状態に変換すると、各球貯留部２５の円弧状底面３２が第６図に示すように下方に位置するとともに、出口３１が側方（棚板２０側）を向くので、球をポケット部分３３に貯留可能な状態となる。球受部材１３，１３が第２状態のときに遊技部３内を流下してきた球が鎧部１２の端部と球受部材１３の傾斜上端との間の入賞領域を通過すると、この球は、球受部材１３の球受入部２４上に落下し、該球受入部２４の上面の下り傾斜により転動しながら段差２７を通過して球導入面２６上に到達する。球受部材１３が第２状態に変換した状態では、球導入面２６の先端が棚板２０の下面に当接して段差が生じており、また、球導入面２６の上面が凹室１９側に向って僅かに下り傾斜しているので、球受入部２４から勢いよく転動してきた球は棚板２０との段差を飛び越えて棚板２０上に流下するが、多くの場合は段差を飛び越えずに当該段差に沿って球導入面２６上を幅方向に転動し、入口３０を通って球貯留部２５の内部に入ってポケット部分３３の円弧状底面３２上で貯留される。このポケット部分３３は、球を複数貯留し得る容積を有しているので、球受部材１３が次々に球を受け入れると、これら複数の球を貯留することができる。」（６頁１７行〜８頁１０行）
　「上記の様にして球貯留部２５の内部に球を貯留した状態でソレノイド２３が消磁すると、ソレノイド２３の復帰スプリング３８の付勢力により球受部材１３，１３が戻り回動して第２状態から第１状態に復帰する。各球受部材１３が戻り回動すると球貯留部２５も球受部材１３と共に戻り回動するので、第７図に示すように、出口３１が戻り回動に伴って下方に向くとともに円弧状底面３２上の球が出口３１側に転動し、球受部材１３が充分に戻り回動すると、第８図に示すように、球貯留部２５内の球が出口３１から流出する。球貯留部２５から流出した球は、下凹室１９ｂの底部２１の傾斜下端近傍に落下し、特別入賞口１５又は一般入賞口１６に入賞する。なお、球貯留部２５の底面の形状及び出口３１の位置等を適宜に設定することにより、球貯留部２５内から流出する球が特別入賞口１５に入り易い方向に流出するように構成してもよい。」（９頁２行〜１８行）
　「なお、第３図に示すように、凹室１９の底部２１上に流下方向案内部材３９を突設することにより、特別入賞口１５に入賞する確率を高めるように構成してもよい。」（１０頁１２行〜１５行）
　「第９図から第１２図に示す球受部材１３は、長さの途中を滑らかに屈曲した断面略Ｌ字状であって、屈曲部分よりも上方部分を球受入部２４とし、屈曲部分の前面に板材４４を設けることにより屈曲部分の内側部分を球貯留部２５としている。なお、この球受部材１３は、支軸１４より下方の先端部分が下降するように自重或はスプリング等の付勢手段により付勢してある。」（１７頁１５行〜１８頁２行）
　「第１０図に示すように、左右の球受部材１３，１３は、上端の各球受入部２４を鎧部１２の端部から大きく側方に突出して、該鎧部１２の端部との間に生じた入賞領域を通過した球を受け入れ易い第２状態に変換する。この第２状態で遊技部３内を流下してきた球が上記入賞領域を通過すると、この球は球受部材１３の球受入部２４に落下し、該球受入部２４の上面の下り傾斜により球貯留部２５内に向って流下する。第２状態における球受部材１３は、第１２図に示すように、揚送部４６上に載った下端部分が球貯留部２５よりも高く位置しており、この部分から球貯留部２５に向って下り傾斜している。したがって、球受入部２４から流下してきた球の殆どは球貯留部２５で停止し、貯留される。」（１９頁１１行〜２０頁５行）
　「球貯留部２５内に球を貯留した場合、駆動部材４３の揚送部４６が球受部材１３の端部を支えているので、球受部材１３が貯留中の球の重みにより戻り回動することはない。」（２０頁１６行〜１９行）
　「球貯留部２５内に球を貯留した状態でソレノイド２３’が消磁すると、駆動部材４３の揚送部４６が下降可能な状態になるので、球受部材１３が貯留球の自重により戻り回動する。球受部材１３，１３が戻り回動すると、球貯留部２５の下端部分が下降して球貯留部２５よりも低くなるので、球貯留部２５内の球が出口３１である球受部材１３の下端部乃至球貯留部２５の後側縁から流出して特別入賞口１５又は一般入賞口１６に直接又は凹室１９を介してから入賞する。」（２０頁２０行〜２１頁８行）
　「以上説明したように本考案によれば、球受部材に球貯留部を一体的に形成したので、球受部材が第１状態から第２状態に変換すると、球受部材が受け止めた球を球貯留部に一時的に貯留することができ、球受部材が第２状態から第１状態に変換すると、球貯留部に貯留していた球を流出するので従来にない球の流下経路により一般入賞口又は特別入賞口に入賞させることができ、パチンコ遊技の興趣を高めることができる。（２２頁４行〜１２行）
　
［甲第６号証］には、飛行機タイプのパチンコ機に関して、次の事項が記載されている。
　「マジシャンＩ（三共）なんとなく間の抜けたデベソのマジシャン（一部ではデベソではなく別のものだと言われてますが・・・）。鳩の羽根から入った玉が、むなしく両脇へ流れていく中でただ両手の札を上下させているだけかと思うと、いきなりマジックを始めます。ちょっと背のびをするとアラ不思議、デベソの下に玉がＳＴＯＰ、思わず笑ってしまった所でその玉がめでたくＶへ・・・イヤーすごいマジックを演じてくれるものですね。」（１８頁右上欄１行〜１０行）
　「魔界組（西陣）登場したばかりの魔界組、キョンシー坊やはなかなか愛きょうがあります。おなかにマと描かれたキョンシーのマー坊はおとくいのポーズで玉をＶへ運んでくれます。その他にも入賞した玉がまるでキョンシーのように床を跳ねるのもなかなかの見物です。後半にマー坊の腕に玉を乗せることが重要なポイントです。玉が乗ったら打つのをやめるとＶ入賞は確実、打っていて後の玉が当ってじゃまをするとせっかくのマー坊がガッカリします。」（１８頁右下欄１行〜１０行）
　「玉を４カウントすると、それまで「ハ」の字にやや開き加減だった両腕の間隔がせばまり玉を１個だけ停留できるようになる。打ってみると、この両腕の上への玉の停留は意外にたやすい。８カウントするかハネが１５回開閉すると両腕に玉を乗せたキョンシーがグンと前にせり出してきて玉を落とす。マジックカーペットなどの貯留タイプと違い、玉は１個だけだがよほどのことがない限り、玉はバウンドしてＶゾーンへ確実に入る。大当たり時の最も楽しい瞬間だ。」（３５頁２段７行〜４段２行）
　
４．当審の判断
（１）〔理由１〕（特許法第２９条第１項第３号違反）について
　〔甲第１号証〕及び〔甲第２号証〕には、それらのいずれにも、本件発明の「プール手段でプールされたパチンコ球を
任意に設定されるタイミングで
　したがって、本件発明が、〔甲第１号証〕又は〔甲第２号証〕にそれぞれ記載された発明である、ということができない。
　
（２）〔理由２〕（特許法第２９条第２項違反）について
　〔甲第１号証〕及び〔甲第２号証〕のいずれにも、本件発明の「プール手段でプールされたパチンコ球を
任意に設定されるタイミングで
　したがって、〔甲第１号証〕及び〔甲第２号証〕にそれぞれ記載された発明を組み合わせても、本件発明を得ることができない。そして、本件発明は、上記「プール手段でプールされたパチンコ球を
任意に設定されるタイミングで
　そうしてみると、本件発明は〔甲第１号証〕及び〔甲第２号証〕にそれぞれ記載された発明に基いて当業者が容易に発明をすることができたもの、ということができない。
　
（３）［理由３］（特許法第２９条の２第１項違反）について
　［甲第１号証］には、本件発明の「パチンコ球をプールするプール手段と該プール手段でプールされたパチンコ球を
任意に設定されるタイミングで
球が流下する板部を介することなく
　したがって、本件発明は［甲第１号証］に記載された発明と同一である、ということができない。
　
（４）［理由４］（特許法第２９条第１項第３号違反）について
　上記「３．独立特許要件の判断」の「（２）当審の判断」の欄に前述のとおり、［甲第２号証］には、本件発明の少なくとも「プール手段でプールされたパチンコ球を
任意に設定されるタイミングで
　したがって、本件発明が、［甲第２号証］に記載された発明である、ということはできない。
　また、同様に［甲第３号証］ないし［甲第５号証］のいずれにも、本件発明の少なくとも「プール手段でプールされたパチンコ球を
任意に設定されるタイミングで
　したがって、本件発明が、［甲第３号証］ないし［甲第５号証］にそれぞれ記載された発明である、ということもできない。
　
（５）［理由５］（特許法第２９条第２項違反）について
　［甲第２号証］、［甲第３号証］、［甲第４号証］、［甲第５号証］のいずれにも、本件発明の「プール手段でプールされたパチンコ球を
任意に設定されるタイミングで
　そして［甲第６号証］にも、本件発明の「プール手段でプールされたパチンコ球を
任意に設定されるタイミングで
　してみると、［甲第２号証］ないし［甲第６号証］には、本件発明の構成の一部が個々に記載されているだけであり、このような［甲第２号証］乃至［甲第６号証］にそれぞれ記載の発明を組み合わせたとしても、もとより本件発明の構成を得ることができない。そして、本件発明は、前記構成により訂正明細書に記載の格別の効果を奏するものと認められる。
　したがって、本件発明は［甲第２号証］ないし［甲第６号証］に記載された発明に基づいて当業者が容易に発明をすることができたものである、とすることができない。
　
５．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年４月１７日（２００１．４．１７）
【訂正の要旨】
訂正の要旨
［訂正事項ａ］
　特許明細書の特許請求の範囲の請求項１に係る
　「【請求項１】パチンコ球の入賞が容易な大当り状態に変動可能であり、かつ、特別入賞口を有するパチンコ機用入賞装置において、パチンコ球をプールするプール手段と該プール手段でプールされたパチンコ球を放出する解除手段とからなる球保留装置を設け、該球保留装置から放出されたパチンコ球を前記特別入賞口に入賞させるようにしたことを特徴とするパチンコ機用入賞装置。」
の記載を、
特許請求の範囲の減縮を目的として、
　「【請求項１】パチンコ球の入賞が容易な大当り状態に変動可能であり、かつ、
開閉片で受け入れたパチンコ球が入賞可能な
任意に設定されるタイミング
前記開閉片と別体に
球が流下する板部を介することなく
と訂正する。
［訂正事項ｂ］
　特許明細書の発明の詳細な説明の欄の
　「《課題を解決するための手段》上記の目的を達成するため本発明は、パチンコ球の入賞が容易な大当り状態に変動可能であり、かつ、特別入賞口１６Ｖを設けてなる入賞装置５において、パチンコ球をプールするプール手段２５と該プール手段２５でプールされたパチンコ球を放出する解除手段２６とからなる球保留装置２４を設け、該球保留装置２４から放出されたパチンコ球を前記特別入賞口１６Ｖに入賞させるようにした入賞装置５を提供するものである。」
の記載を
明りょうでない記載の釈明を目的として、
　「《課題を解決するための手段》上記の目的を達成するため本発明は、パチンコ球の入賞が容易な大当り状態に変動可能であり、かつ、
開閉片１４，１４で受け入れたパチンコ球が入賞可能な
任意に設定されるタイミングで
前記開閉片１４，１４と別体に
球が流下する板部（底壁２０ｆ）を介することなく
と訂正する。
［訂正事項ｃ］
　特許明細書の発明の詳細な説明の欄の
　「《発明の効果》以上のように本発明の入賞装置５によれば、プール手段２５と解除手段２６とからなる球保留装置２４を設け、該球保留装置２４から放出されたパチンコ球を前記特別入賞口１６Ｖに入賞させるように構成したため、特別入賞口１６Ｖに入賞することが明らかなパチンコ球を遊技者の権利球として保有させることができ、特別入賞口１６Ｖに入賞する楽しみを十分に堪能させることができる。そしてさらに、他の種々の遊技条件、例えば始動入賞口６への入賞等と球保留装置２４の作動条件を組み合わせることによって、従来にない遊技パターンを新たに創造することができる等、パチンコ遊技の興趣を増大させ得る効果がある。」
の記載を
明りょうでない記載の釈明を目的として、
　「《発明の効果》以上のように本発明の入賞装置５によれば、プール手段２５と解除手段２６とからなる球保留装置２４を
前記開閉片１４，１４と別体に
球が流下する板部（底壁２０ｆ）を介することなく
と訂正する。
（５４）【発明の名称】
パチンコ機用入賞装置
（５７）【特許請求の範囲】
　【請求項１】　パチンコ球の入賞が容易な大当り状態に変動可能であり、かつ、
開閉片で受け入れたパチンコ球が入賞可能な
パチンコ球をプールするプール手段と該プール手段でプールされたパチンコ球を
任意に設定されるタイミングで
前記開閉片と別体に
球が流下する板部を介することなく
【発明の詳細な説明】
《産業上の利用分野》
　本発明は、パチンコ球の入賞が容易な大当り状態に変動可能であり、かつ、例えば大当り状態でそこに入ると大当り状態が継続する特別入賞口を有するパチンコ機用入賞装置（以下入賞装置という）に関する。
《従来の技術》
　従来の入賞装置には、所謂飛行機タイプのもの、デジタルタイプのもの、権利発生タイプのもの等がある。以下に飛行機タイプの入賞装置を例示して説明する。
　飛行機タイプの入賞装置は、
　遊技板の遊技部に打ち込まれたパチンコ球を受け入れる入賞開口と、
　該入賞開口を開閉する一対の開閉片と、
　この開閉片を開閉動作させる電気的駆動装置と、
　入賞開口に入ったパチンコ球を受け入れ、その一部を特別入賞口にした比較的広い入賞口と、
　遊技部に別途設けた始動入賞口への入賞により、前記電気的駆動装置が作動して開閉片を１回又は２回開動作させ、このとき入賞開口に飛び込んだパチンコ球が特別入賞口に入賞すると「大当り」となって１０個のパチンコ球が入賞するまで１８回を限度に開閉片を開閉動作させ、さらに、その間に特別入賞口に入賞すると１５回を限度として大当り状態を更新せしめるものである。
《発明が解決しようとする課題》
　上記の入賞装置は、特別入賞口への入賞により大当り状態に変化し、又は、大当り状態を更新するものであり、特別入賞口へ入賞するか否かが遊技者の興味の中心である。
　しかし、特別入賞口に入賞する場合には、開閉片間に入ってから比較的短時間で入賞口に到達し、しかも入賞後すぐ次の大当り状態に進行してしまうため、特別入賞口へ入賞した面白さを楽しむ暇もなく遊技が淡々と進行することが多かった。
　そこで本発明は、特別入賞口に入賞するパチンコ球の入賞時期を適宜制御することにより、特別入賞口に入賞する面白さを遊技者に堪能させ、以って遊技の興趣の増大を図ることを目的とするものである。
《課題を解決するための手段》
　上記の目的を達成するため本発明は、
　パチンコ球の入賞が容易な大当り状態に変動可能であり、かつ、
開閉片１４，１４で受け入れたパチンコ球が入賞可能な
　パチンコ球をプールするプール手段２５と該プール手段２５でプールされたパチンコ球を
任意に設定されるタイミングで
前記開閉片１４，１４と別体に
球が流下する板部（底壁２０ｆ）を介することなく
《作用》
　プール手段２５でプールされたパチンコ球を解除手段２６の作動で放出すると、該パチンコ球は全て特別入賞口１６Ｖに入賞する。
　プール手段２５でプールされるパチンコ球は、プール手段２５の球受入口の配置、及び、球受入口の開閉態様等の条件により、例えば入賞装置５に入ったパチンコ球の一部であったり、或は、入賞装置５の外を流れるパチンコ球を特定条件で補足したものであったりする。
　また、解除手段２６は、制御装置のプログラムや、或は、遊技者の操作により作動する。
　このようなプール手段２５と解除手段２６とからなる球保留装置２４を入賞装置５に設けることによって、特別入賞口１６Ｖに入賞するパチンコ球を入賞前の段階で適宜制御することができる。
《実施例》
　以下に本発明の実施例を図面を参照しつつ説明する。
　パチンコ機１は、額縁状の前面枠２の裏側に着脱自在に遊技板３を取付け、該遊技板３の前面を誘導レール４でほぼ円状に囲って遊技領域３ａとなし、この遊技領域３ａに入賞装置５、始動入賞口６，６，６、通常入賞口７，７…、アウト球口８等を設けて概略構成される。
　第１図乃至第３図は、入賞装置５の詳細を示すものである。
　遊技板３の前面に固着する取付基盤９は、大きな開口１０を有し、その前面側に該開口１０の下半部を囲う前カバー１１と、開口１０の上縁に突設した庇片１２及び開口１０の上半部側縁の入賞開口１３を塞ぐようにした一対の開閉片１４，１４が設けられている。
　前記前カバー１１は、全体が透明な合成樹脂製であるが、開口１０の下半部の視認性をさらに良くするために窓孔１５が形成されている。そして前カバー１１は、該窓孔１５の下に比較的広い入賞口１６を形成してなる。該入賞口１６は、３つに区画されており、左右が通常入賞口１６Ｌ，１６Ｒであり、中央が特別入賞口１６Ｖである。この特別入賞口１６Ｖには通路の途中にＶ球検出器１７が設けられている。また、入賞口１６に入ったパチンコ球の総数は、入賞球検出器（図示せず）によってカウントされる。
　前記開閉片１４，１４は、下端裏側に長軸１８を突設したもので、該長軸１８を取付基盤９に回転自在に挿通せしめ、第２図実線の起立姿勢から同図鎖線の傾動姿勢の間で傾動自在である。該開閉片１４，１４は、長軸１８の後端にクランク部材１９を固着し、このクランク部材１９を後述する裏カバー２０の後側に配置したソレノイド２１のプランジャー２２に係合させたもので、ソレノイド２１が消磁（プランジャー２２が下動）した状態で開閉片１４，１４が起立し、ソレノイド２１が励磁（プランジャー２２が上昇）した状態で開閉片１４，１４が傾動するように設定されている。
　前記取付基盤９の裏面側には、開口１０を囲うように裏カバー２０が固着されている。該裏カバー２０の内部空間は、前記前カバー１１の上縁から奥に向かって下り傾斜状に固定された中仕切り板２３によって上下の部屋に区画されている。この中仕切り板２３と裏カバー２０の後壁２０ｒとの間には、パチンコ球が通過可能な空間Ｓが形成されており、入賞開口１３に入ったパチンコ球が該空間Ｓを通って下の部屋に落下する。
　裏カバー２０の底壁２０ｆは、奥から前に向かって下り傾斜状に形成され、その前縁が前記前カバー１１の入賞口１６に臨んでおり、中仕切り板２３から落下したパチンコ球が該底壁２０ｆ上を転がって入賞口１６に入賞する。
　しかして、本発明は、以下に説明するような球保留装置２４を入賞装置５に設けてなるものである。
　該球保留装置２４は、パチンコ球をプールするプール手段２５と、プール手段２５でプールされたパチンコ球を放出する解除手段２６とで構成される。
　プール手段２５は、前記中仕切り板２３の下側に配設した球パイプ２５ａと、該球パイプ２５ａの前面側に対接するストッパープレート２５ｂとからなるものである。球パイプ２５ａは、複数個（例えば４個）のパチンコ球を一列で収容し得る長さの透明な合成樹脂の角筒であり、後端の両横に突設した支持軸２７を裏カバー２０の側壁２０ｓに挿通して揺動自在に支持される。その揺動範囲は、前記ストッパープレート２５ｂの裏面に突設した上下の突片２８ａ，２８ｂによって規制される。また、球パイプ２５ａは、解除手段２６たるロータリーソレノイド２９の駆動軸に支持軸２７を連結し、該ロータリーソレノイド２９の内蔵バネ（図示せず）によって常に上の突片２８ａに当接するよう付勢されている。ストッパープレート２５ｂは、透明な合成樹脂板であり、球パイプ２５ａの前面と対向する位置に球放出口３０を形成し、該球放出口３０の前面を底なしのガイド枠３１で囲ってなる。そして、球放出口３０と球パイプ２５ａの位置関係は、球パイプ２５ａが前方を上げて上の突片２８ａに係合した状態において、球放出口３０の上縁が若干低くなるように設定される。従って、球パイプ２５ａ内に入ったパチンコ球がストッパープレート２５ｂに当たって止められ、球パイプ２５ａ内にパチンコ球がプールされるのである。
　一方、球パイプ２５ａの後端は、中仕切り板２３のほぼ中央に穿設した球落下孔２３ａに対向しており、中仕切り板２３上を流れるパチンコ球が球落下孔２３ａに落ちると球パイプ２５ａに入る。このパチンコ球が前記のようにプールされるのである。なお、球落下孔２３ａと球パイプ２５ａの間に摺動自在なシャッター板を設けて球落下孔２３ａを開閉自在に構成し、特定の条件成立時にのみ球落下孔２３ａを開くようにしてもよい。
　その他、プール手段２５には、球パイプ２５ａ内にプールされたパチンコ球を検出する光学式のセンサー３２が設けられている。このセンサー３２は、発光素子３２ａと受光素子３２ｂを裏カバー２０の側壁２０ｓから夫々球パイプ２５ａを挟んで対向するように配設したものである。なお、本実施例では、このセンサー３２を１個だけ設けたが、例えば、球パイプ２５ａ内の全てのパチンコ球に対応させてセンサー３２を複数個設置し、プール手段２５にプールされているパチンコ球の個数をＬＥＤランプ等で表示してもよい。
　解除手段２６は、前記のようにロータリーソレノイド２９である。該ロータリーソレノイド２９は、裏カバー２０の側壁２０ｓの外側に設置されている。そして、常には内蔵バネで球パイプ２５ａを第３図時計回りに付勢し、通電状態で球パイプ２５ａを反時計回りに回動させて同図鎖線のように傾動させる。球パイプ２５ａが傾動すると、それまでストッパープレート２５ｂで止められていたパチンコ球が解除され、球放出口３０からガイド枠３１を通って特別入賞口１６Ｖに入賞する。
　なお、本実施例では解除手段２６の一部品として、下の突片２８ｂから球止め片３を突設している。この球止め片３３は、球パイプ２５ａが傾動した状態で該球パイプ２５ａの底壁に穿設した長孔３４から球パイプ２５ａの内部に突出して２個目のパチンコ球の放出を阻止するストッパーであり、球パイプ２５ａにプールしたパチンコ球を１個づつ放出するためのものである。
　その他、図面中３５…は、中仕切り板２３、及び、裏カバー２０の底壁２０ｆの上面に突設したピンであり、パチンコ球の流下方向を変化させるためのものである。
　しかして、開閉片１４，１４作動用のソレノイド２１及びロータリーソレノイド２９は、制御装置（図示せず）の外部出力ポートに接続され、制御装置側のプログラムに従って制御される。また、始動入賞口６に内蔵された球検出スイッチ３６、及び、球パイプ２５ａのセンサー３２等は制御装置の入力ポートに接続される。
　次に制御装置のプログラムに基づく入賞装置５の作動パターンの一例を説明する。
▲２▼入賞装置５が作動していない状態では、ソレノイド２１が消磁した状態にあって開閉片１４，１４が入賞開口１３を閉じ、また、ロータリーソレノイド２９も非通電状態にあって球パイプ２５ａの前方を持ち上げている。
▲３▼遊技領域３ａに打ち込まれたパチンコ球がいずれかの始動入賞口６に入ると、その入賞信号が制御装置に送られる。この入賞信号によりソレノイド２１が作動して開閉片１４，１４を１回、又は２回開閉させる。この開閉片１４，１４の開閉回数は、両サイドの始動入賞口６，６に入賞した場合に１回、中央の始動入賞口６に入賞した場合に２回となる。
▲４▼開閉片１４，１４が開いた時にパチンコ球が入ると、殆どのパチンコ球は中仕切り板２３から裏カバー２０の底壁２０ｆを流れて入賞口１６に至る。
▲５▼このパチンコ球が、特別入賞口１６Ｖに入賞した場合は、制御装置のＲＯＭに記憶された大当りのプログラムが実行され、１０個のパチンコ球が入賞するまで１８回を限度に開閉片１４，１４が開閉動作し、さらに、その間に特別入賞口１６Ｖに入賞すると１５回を限度として大当り状態を更新せしめる。
▲６▼また、前記▲４▼で開閉片１４，１４間に入ったパチンコ球が中仕切り板２３の球落下孔２３ａから球パイプ２５ａに入り込み、かつ、特別入賞口１６Ｖへの入賞信号がない場合は、このパチンコ球をセンサー３２が検出してすぐにロータリーソレノイド２９を作動させパチンコ球を放出する。この放出されたパチンコ球は、特別入賞口１６Ｖに入賞し前記▲５▼と同様大当りのプログラムが実行される。
▲７▼大当りのプログラム実行中において、球パイプ２５ａにパチンコ球が入った場合は、ロータリーソレノイド２９がすぐには作動しないように設定されているため、球タンク２５ａ内に最大４個のパチンコ球がプールされ得る。
▲８▼ロータリーソレノイド２９は、大当りが更新され得る状態、例えば２回目の大当り動作中に、開閉片１４，１４が１７回開閉したか、又は、入賞口１６に９個入賞した時点で特別入賞口１６Ｖへの入賞がないことを条件に作動する。そしてロータリーソレノイド２９が作動すると、球パイプ２５ａから１個のパチンコ球が放出され、特別入賞口１６Ｖに入賞して大当りが更新される。
▲９▼ロータリーソレノイド２９は、大当りが１５回目の更新動作に至った場合には作動しないよう設定されている。従って、場合によっては大当り状態が終了しても球パイプ２５ａ内にパチンコ球が残ることがある。このように球パイプ２５ａ内にパチンコ球が残っている場合には、次に始動入賞口６，６，６のいずれかの入賞信号を受けるとロータリーソレノイド２９が作動し、特別入賞口１６Ｖにパチンコ球を入賞させて入賞装置５を大当り状態にする。
▲８▼また、ロータリーソレノイド２９は、前面枠２の下方に設けたスイッチ３７の操作によっても作動するようになっており、遊技者が任意の時期に球パイプ２５ａ内のパチンコ球を放出し得る。従って、遊技者が好きなタイミングで特別入賞口１６Ｖに入賞させることができ、遊技の興趣の増大を図ることができると共に、遊技者の都合で早く遊技を終了したい場合等プールされたパチンコ球を無駄に残すことがない。なお、本実施例では、始動入賞口６への入賞がない状態で特別入賞口１６Ｖに入賞しても大当り状態に変動させないように設定しているが、特別入賞口１６Ｖへの入賞のみで大当り状態に変動させるように設定することもできる。
▲９▼大当りの更新回数が１５回目の状態で開閉片１４，１４が１８回開閉するか、又は、入賞口１６にパチンコ球が１０個入賞した場合、或は、更新回数が１５回に至らなくとも開閉片１４，１４が１８回開閉するか、又は、入賞口１６にパチンコ球が１０個入賞する間に特別入賞口１６Ｖに入賞しなかった場合に大当り状態が終了し、前記▲２▼の状態に戻る。
　なお、以上に説明した入賞装置５の作動パターンは言うまでもなく一つの例示であり、例えば、球保留装置２４の解除手段２６の作動タイミング等は制御装置のプログラムにより種々設定できる。
　また、球保留装置２４のプール手段２５は、入賞装置５内に配置する必要はなく、入賞装置５から分離して設けることも可能である。この場合にはプール手段２５の球受入口を開閉自在にして遊技領域３ａの適宜位置に設け、該球受入口を例えば変動表示器の図柄合わせのような特定条件の成立により一時的に入賞可能な開状態に変動させる構成とすることが考えられる。そして、プール手段２５と特別入賞口１６Ｖを通路で連通させればよいのである。
　また、球保留装置２４の解除手段２６の駆動方法も種々考えられ、例えばロータリーソレノイド２９を通常のソレノイドやモータに変更することはもちろん、その他、裏連動をつかってパチンコ球の球重量による梃運動等で作動させることもできる。そして本実施例で示した解除手段２６は、パチンコ球を１個づつ放出するように構成したが、例えば球パイプ２５ａ内のパチンコ球を全部一度に放出したり、或は、複数個（例えば２個単位）づつ放出するような構成にしてもよい。
　以上、飛行機タイプの入賞装置５への適用例を示して本発明を説明したが、これ以外にも特別入賞口を有するデジタルタイプの入賞装置や、権利発生タイプの入賞装置等にも同様に適用できる。
《発明の効果》
　以上のように本発明の入賞装置５によれば、プール手段２５と解除手段２６とからなる球保留装置２４を
前記開閉片１４，１４と別体に
球が流下する板部（底壁２０ｆ）を介することなく
【図面の簡単な説明】
第１図は斜視図、第２図は一部を断面にした正面図、第３図は中央縦断側面図、第４図はパチンコ機の正面図である。
５……パチンコ機用入賞装置、１６Ｖ……特別入賞口、２４……球保留装置、２５……プール手段、２６……解除手段。